【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
受信したプリンタ制御コマンドに従って、物理ページごとのレイアウトおよびフィニッシング処理を示すプレビュー情報を作成するプリンタと接続された情報処理装置により実行されるプログラムであって、
データのプレビューが指示された場合、プレビューを示すジョブ種別とともに、印刷データに応じたプリンタ制御コマンドを生成してプリンタに送信する印刷命令送信手段と、
前記プリンタ制御コマンドに応じて前記プリンタにより生成された物理ページごとのレイアウトおよびフィニッシング処理を示すプレビュー情報に基づいて、プレビュー画像を生成して表示するプレビュー手段と
してコンピュータを機能させるためのプログラム。
【請求項２】
印刷データに含まれる各論理ページの内容を保存するスプール手段を更に備え、
前記プレビュー手段は、前記プレビュー情報および前記スプール手段に保存された論理ページの内容に従ってプレビュー画像を生成して表示することを特徴とする請求項１に記載のプログラム。
【請求項３】
前記プリンタは受信したプリンタ制御コマンドに対応するジョブ種別がプレビューである場合には、前記プリンタ制御コマンドに含まれる印刷データを保存し、
前記プレビュー手段は、表示したプレビュー画像に対応するジョブの印刷設定の変更を許し、
前記印刷設定が変更された場合、変更された部分に係る印刷命令を生成する設定変更手段として更にコンピュータを機能させ、
前記印刷命令送信手段は前記設定変更手段により生成された印刷命令に応じたプリンタ制御コマンドを生成してプリンタに送信することを特徴とする請求項１に記載のプログラム。
【請求項４】
前記プリンタは受信したプリンタ制御コマンドに対応するジョブ種別がプレビューである場合には、前記プリンタ制御コマンドに含まれる印刷データを保存し、
前記プレビュー手段は、表示したプレビュー画像に対応するジョブの印刷指示の入力を許し、
前記印刷命令送信手段は、前記プレビュー手段により印刷指示が入力された場合には、当該ジョブの識別子と当該ジョブの印刷を指示するプリンタ制御コマンドを生成してプリンタに送信することを特徴とする請求項１に記載のプログラム。
【請求項５】
受信したプリンタ制御コマンドに従って物理ページごとのレイアウトおよびフィニッシング処理を示すプレビュー情報を作成するプリンタと接続された情報処理装置であって、
データのプレビューが指示された場合、プレビューを示すジョブ種別とともに、印刷データに応じたプリンタ制御コマンドを生成してプリンタに送信する印刷命令送信手段と、
前記プリンタ制御コマンドに応じて前記プリンタにより生成された物理ページごとのレイアウトおよびフィニッシング処理を示すプレビュー情報に基づいて、プレビュー画像を生成して表示するプレビュー手段と
を備えることを特徴とする情報処理装置。
【請求項６】
ホスト装置からプリンタ制御コマンドを受信する受信手段と、
前記プリンタ制御コマンドに対応するジョブ種別がプレビューである場合には、前記プリンタ制御コマンドに含まれるジョブ制御情報および印刷データに従って、印刷される物理ページごとの論理ページのレイアウト及びフィニッシング処理を示すプレビュー情報を生成するプレビュー情報生成手段と、
前記プレビュー情報を前記ホスト装置に送信する送信手段と
を備えることを特徴とするプリンタ装置。
【請求項７】
ジョブ種別がプレビューである場合には、前記受信手段により受信したプリンタ制御コマンドに含まれるジョブ設定情報及び印刷データを保存する保存手段と、
前記ジョブ設定情報及び印刷データに基づいて物理ページごとのイメージデータを生成するレンダリング手段と、
ジョブ種別がプレビューである場合には、前記レンダリング手段により生成されたイメージデータを保存するイメージ保存手段と
前記受信手段により受信したプリンタ制御コマンドに対応するジョブ識別子が、前記保存手段により保存されたジョブのジョブ識別子と一致する場合、受信したプリンタ制御コマンドに含まれるジョブ設定情報及び印刷データを、既に保存されているジョブ設定情報及び印刷データに併合する併合手段とをさらに備えることを特徴とする請求項６に記載のプリンタ装置。
【請求項８】
受信したプリンタ制御コマンドに従って物理ページごとのレイアウトおよびフィニッシング処理を示すプレビュー情報を作成するプリンタ装置と情報処理装置とを接続したプリンタシステムであって、
前記情報処理装置は、
データのプレビューが指示された場合、プレビューを示すジョブ種別とともに、印刷データに応じたプリンタ制御コマンドを生成して前記プリンタに送信する印刷命令送信手段と、
前記プリンタ制御コマンドに応じて前記プリンタにより生成された物理ページごとのレイアウトおよびフィニッシング処理を示すプレビュー情報に基づいて、プレビュー画像を生成して表示するプレビュー手段とを備え、
前記プリンタ装置は、
前記情報処理装置からプリンタ制御コマンドを受信する受信手段と、
前記プリンタ制御コマンドに対応するジョブ種別がプレビューである場合には、前記プリンタ制御コマンドに含まれるジョブ制御情報および印刷データに従って、印刷される物理ページごとの論理ページのレイアウト及びフィニッシング処理を示すプレビュー情報を生成するプレビュー情報生成手段と、
前記プレビュー情報を前記情報処理装置に送信する送信手段とを備える
ことを特徴とするプリンタシステム。
【請求項９】
受信したプリンタ制御コマンドに従って物理ページごとのレイアウトおよびフィニッシング処理を示すプレビュー情報を作成するプリンタ装置と情報処理装置とを接続したプリンタシステムにおける制御方法であって、
前記情報処理装置が、データのプレビューが指示された場合、プレビューを示すジョブ種別とともに、印刷データに応じたプリンタ制御コマンドを生成して前記プリンタに送信する印刷命令送信工程と、
前記プリンタ装置が、前記情報処理装置からプリンタ制御コマンドを受信する受信工程と、
前記プリンタ装置が、前記プリンタ制御コマンドに対応するジョブ種別がプレビューである場合には、前記プリンタ制御コマンドに含まれるジョブ制御情報および印刷データに従って、印刷される物理ページごとの論理ページのレイアウト及びフィニッシング処理を示すプレビュー情報を生成するプレビュー情報生成工程と、
前記プリンタ装置が、前記プレビュー情報を前記情報処理装置に送信する送信工程と、
前記情報処理装置が、前記プリンタ制御コマンドに応じて前記送信工程により送信されたプレビュー情報に基づいて、プレビュー画像を生成して表示するプレビュー工程と
を有することを特徴とするプリンタシステムの制御方法。
【請求項１０】
プレビューが指示された場合、プレビューを示すジョブ種別とともに、印刷データに応じたプリンタ制御コマンドを生成してプリンタに送信する印刷命令送信手段と、
前記プリンタ制御コマンドに応じて前記プリンタにより生成された構成ページのサイズ、向き、及び変倍情報を示すプレビュー情報に基づいて、プレビュー画像を生成して表示するプレビュー手段と
してコンピュータを機能させるためのプログラム。
【請求項１１】
プレビューが指示された場合、プレビューを示すジョブ種別とともに、印刷データに応じたプリンタ制御コマンドを生成してプリンタに送信する印刷命令送信手段と、
前記プリンタ制御コマンドに応じて前記プリンタにより生成された構成ページのサイズ、向き、及び変倍情報を示すプレビュー情報に基づいて、プレビュー画像を生成して表示するプレビュー手段と
を有することを特徴とする情報処理装置。
【請求項１２】
プレビューが指示された場合、プレビューを示すジョブ種別とともに、印刷データに応じたプリンタ制御コマンドを生成してプリンタに送信する印刷命令送信ステップと、
前記プリンタ制御コマンドに応じて前記プリンタにより生成された構成ページのサイズ、向き、及び変倍情報を示すプレビュー情報に基づいて、プレビュー画像を生成して表示するプレビューステップと
を有することを特徴とする情報処理方法。
【請求項１３】
ホスト装置からプリンタ制御コマンドを受信する受信手段と、
前記プリンタ制御コマンドに対応するジョブ種別がプレビューである場合には、前記プリンタ制御コマンドに含まれるジョブ制御情報および印刷データに従って、構成ページのサイズ、向き、及び変倍情報を示すプレビュー情報を生成するプレビュー情報生成手段と、
前記プレビュー情報を前記ホスト装置に送信する送信手段と
を備えることを特徴とするプリンタ装置。
【手続補正２】
【補正対象書類名】明細書
【補正対象項目名】０００７
【補正方法】変更
【補正の内容】
【０００７】
上述の課題を解決するために、本発明は以下の構成を有する。すなわち、受信したプリンタ制御コマンドに従って、物理ページごとのレイアウトおよびフィニッシング処理を示すプレビュー情報を作成するプリンタと接続された情報処理装置により実行されるプログラムであって、
データのプレビューが指示された場合、プレビューを示すジョブ種別とともに、印刷データに応じたプリンタ制御コマンドを生成してプリンタに送信する印刷命令送信手段と、
前記プリンタ制御コマンドに応じて前記プリンタにより生成されたプレビュー情報に基づいて、プレビュー画像を生成して表示するプレビュー手段としてコンピュータを機能させる。